(57)【要約】【課題】筒形ヒューズをヒューズ端子に取付ける為のヒューズ着脱用ソケットであって、筒形ヒューズの取付け、取外しが容易に行なうことが出来、しかも一種の治具として繰返し使用可能なヒューズ着脱用ソケットの提供。【解決手段】筒形ヒューズ１０を挟持する為の挟持部９ａ，９ｂを先端に形成した２枚の挟持板１ａ，１ｂを基板２に取付けて開閉可能としている。そして、挟持板１ａ，１ｂは常時閉じる方向に弾性力が付勢され、基板の中央に貫通した穴にはスライド棒３を挿通すると共に、スライド棒３の先端には挟持板１ａ，１ｂの窓穴６，６に係合するテーパー部材５を取着している。【選択図】　　　　図３
2004087155.tif 000002
【特許請求の範囲】
【請求項１】
筒形ヒューズをヒューズ端子に取付ける為のヒューズ着脱用ソケットにおいて、筒形ヒューズを挟持する為の挟持部を先端に形成した２枚の挟持板を基板に取付けて開閉可能とし、そして挟持板が常時閉じる方向に弾性力を付勢し、上記基板の中央に貫通した穴にはスライド棒を挿通すると共に該スライド棒には挟持板に係合するカムを取着し、スライド棒のスライドによってカムを介して挟持板を開くようにし、さらにスライド棒には上記カムと挟持板との係合を解除する方向にバネ力を付勢したことを特徴とする電気機器のヒューズ着脱ソケット。
【請求項２】
上記挟持板に窓穴を形成し、この窓穴にスライド棒に取着したカムを係合した請求項１記載の電気機器のヒューズ着脱ソケット。
【請求項３】
上記カムとしてテーパー面を形成したテーパー部材をスライド棒の先端に取着し、挟持板に形成した窓穴に嵌めた請求項１、又は請求項２記載の電気機器のヒューズ着脱ソケット。
【発明の詳細な説明】
【０００１】
【発明の属する技術分野】
本発明は電気機器に設けるヒューズを手軽に着脱することが出来るソケットに関するものである。
【０００２】
【従来の技術】
電気機器には随所にヒューズが取付けられていて、電気部品を保護する為に基準以上の電気が流れないように保護されている。ヒューズは、通常、電流の導通／遮断を担う着脱可能なガラス管ヒューズなどの筒形ヒューズと、その筒形ヒューズを回路内の端子に取付ける為のヒューズホルダとから構成している。該ヒューズホルダは、筒形ヒューズを保持するヒューズキャリアと、該ヒューズキャリアを受けるヒューズベースとから成っている。
【０００３】
ところで、ヒューズキャリアを取外したり取付ける場合、円筒のガラス管ヒューズの電極部とヒューズベースのヒューズ端子とを嵌脱させる為に、ガラス管ヒューズがヒューズキャリアの挟持板間の所定位置に正しく保持されなくてはならない。そこで、従来技術の代表例である特開平９−１２９１１７号に係る「ヒューズホルダ」は、筒形ヒューズを着脱自在な状態で挟持する挟持部を有するヒューズキャリアと、装置筐体に設けられた凹部であって、底面には筒形ヒューズの電極と嵌合する端子を有し、側面には筒形ヒューズを挟持した前記ヒューズキャリアを取付け及び取外す際に、前記挟持部を前記筒形ヒューズの方向へ規制するように突出した凸部を有するヒューズベースとからなっている。
【０００４】
従って、筒形ヒューズの取付け取外しが容易で、筒形ヒューズの交換作業の迅速化が図れら、そして円筒ヒューズの交換が確実・容易に行なうことが出来るとされる。ところが、筒形のガラス管ヒューズをＵ字型のプラスチック挟持部で挟持しているが、筒形ヒューズの保持力を強くするならば外れ難く、外れ易くすると保持力が低下して取付け時に落下する等の不具合が発生する。
【０００５】
又、該ヒューズホルダは、ソケットの挟持板にて筒形ガラス管ヒューズを保持した状態でヒューズ端子に装着する構造であり、すなわち、ホルダに装着後も取付けておく構造である為に、ヒューズの数だけソケットが必要となり、コスト的には高くなってしまう。
【０００６】
【発明が解決しようとする課題】
このように、従来のヒューズ着脱ソケットには上記のごとき問題がある。本発明が解決しようとする課題はこれら問題点であって、筒形ガラス管ヒューズの取付け・取外しが容易に行なうことが出来、しかも一種の治具として機能することで、複数の筒形ガラス管ヒューズの取付け・取外しが繰り返し行なうことが出来る電気機器のヒューズ着脱用ソケットを提供する。
【０００７】
【課題を解決する為の手段】
本発明に係る電気機器のヒューズ着脱用ソケットは、筒形ヒューズを挟持して取付け・取外し出来るように２枚の挟持板を対にして基板に設け、該挟持板は基板に軸支されて開閉可能と成っている。そして基板中央には穴が貫通していて、該穴にはスライド棒が挿通し、スライド棒をスライドさせることで上記挟持板が開閉する。
【０００８】
両挟持板にはバネ力が付勢されていて、常に閉じる方向にバネ力が働き、挟持板の先端には筒形ヒューズを挟持する為の挟持部が形成されている。そして、上記スライド棒の先端にはカムが取着され、挟持板に形成した窓穴等の係合部に該カムが係合している。従ってスライド棒をスライドすることでカムが移動し、挟持板が開くことになる。又、スライド棒には弾性体が取付けられて、カムと挟持板の係合状態を切り離す方向に弾性力が付勢されている。以下、本発明に係る実施例を図面に基づいて詳細に説明する。
【０００９】
【実施例】
図１は本発明に係る電気機器のヒューズ着脱用ソケットを示している実施例である。同図の１ａ，１ｂは挟持板、２は基板、３はスライド棒を表していて、両挟持板１ａ，１ｂは上記基板２に蝶番等の継手を介して取付けられ、その為に挟持板１ａ，１ｂは開閉することが出来る。同図に示すヒューズ着脱用ソケットは両挟持板１ａ，１ｂが閉じている状態であるが、開いて筒形ヒューズを挟持出来る。
【００１０】
スライド棒３は基板２の中央に貫通して設けた穴を挿通し、スライド棒３の先端にはテーパー部材５を取付けている。このテーパー部材５はカムの１形態である。そして該テーパー部材５は挟持板１ａ，１ｂに形成している窓穴６に嵌っていて、スライド棒３が降下してテーパー部材５が押し下げられるならば、図２に示すようにテーパー面７に当って挟持板１ａ，１ｂが開口する。ここで、スライド棒３の上端には押圧部８が設けられ、該押圧部８を押圧することで該スライド棒３は降下することが出来る。
【００１１】
そして、スライド棒３の外周に取付けているコイルバネ４は押圧部８と基板２の間に介在して押圧部８を押上げる方向にバネ力が付勢している。従って、押圧部８を押圧してスライド棒３が降下してテーパー部材５が押し下げられても、押圧部８から手を離せばコイルバネ４のバネ力によってスライド棒３及びテーパー部材５は押上げられる。
【００１２】
挟持板１ａ，１ｂの下端には円弧状に湾曲した挟持部９ａ，９ｂを形成し、該両挟持部９ａ，９ｂにて筒形ヒューズを挟持して持上げることが出来る。図３、図４は本発明のソケットにて筒形ヒューズ１０を挟持している場合を示している。円弧状に湾曲した挟持部９ａ，９ｂは筒形ヒューズ１０を抱きかかえて挟持し、挟持板１ａ，１ｂを開閉可能に取付けている継手１１ａ，１１ｂにはバネが備わっていて、該バネ力により筒形ヒューズ１０は挟持部９ａ，９ｂから外れて落下することはない。すなわち、バネは両挟持板１ａ，１ｂが閉じる方向にバネ力を付勢している。
【００１３】
図４に示しているテーパー部材５はそのテーパー面７が挟持板１ａ，１ｂに形成している窓穴６，６の角１２ａ，１２ｂに近接又は接することなく僅かな隙間を有しているが、コイルバネ４のバネ力にてテーパー部材５が持上げられている。そこで、上記押圧部８を押圧してテーパー部材５を押し下げるならば、テーパー面７，７は角１２ａ，１２ｂに接して両挟持板１ａ，１ｂは開くことが出来る。
【００１４】
そして、同図に示すように挟持板１ａ，１ｂで筒形ヒューズ１０を挟持した状態でヒューズ端子に取付けられる。図５は電気機器の狭い隙間１３に設けているヒューズ端子１４に該筒形ヒューズ１０を取付ける場合であるが、ソケットの挟持板１ａ，１ｂの先端挟持部９ａ，９ｂに挟まれた筒形ヒューズ１０は隙間１３に挿入され、隙間１３の底に設けているヒューズ端子１４に嵌められる。
【００１５】
ヒューズ端子１４は円弧状に湾曲した形状の保持部１５ａ，１５ｂが対を成していて、材質はバネ材から成り、上方から押し込むことで筒形ヒューズ１０が嵌るように該保持部１５ａ，１５ｂの上端部は外方向へ開いている。従って、ソケットの挟持板１ａ，１ｂに挟持された筒形ヒューズ１０は上方から押し込まれることでヒューズ端子１４に嵌って取付けられる。そして、挟持板１ａ，１ｂの挟持部９ａ，９ｂに挟まれた筒形ヒューズ１０は、ソケットを持上げる場合に該筒形ヒューズ１０がソケットに付いて持上げられないように、押圧部８を押圧して挟持板１ａ，１ｂを開く。
【００１６】
すなわち、ヒューズ端子１４に筒形ヒューズ１０が嵌ったならば、押圧部８を押圧してテーパー部材５を押し下げることで挟持板１ａ，１ｂを開いて筒形ヒューズ１０を解放し、その状態でソケットを持上げる。
ところで、上記挟持板１ａ，１ｂを開くためのテーパー部材５は、該挟持板１ａ，１ｂに係合するカムの１形態に過ぎず、別形態のカムを使用することは自由である。以上述べたように、本発明のヒューズ着脱用ソケットは、開閉出来る両挟持板を備えると共に、挟持板には常に閉じるようにバネ力が付勢したものであり、次のような効果を得ることが出来る。
【００１７】
【発明の効果】
本発明に係るヒューズ着脱用ソケットは、バネ力が付勢された両挟持板を備えていて、先端に形成した挟持部にて筒形ヒューズを挟持することが出来る。そして挟持した状態でソケットを持って狭い隙間へ挿入し、筒形ヒューズをヒューズ端子に取付けることが可能と成る。勿論、ヒューズ端子に取付けてある筒形ヒューズを取外す場合も同じである。
【００１８】
ソケットはバネ力が付勢されている両挟持板にて筒形ヒューズを挟持しているために、該筒形ヒューズが外れ落ちることはない。そして、ヒューズ端子に取付けられたならば、挟持板を開いて筒形ヒューズを解放し、ソケットを取出すことが出来る。このように、筒形ヒューズの着脱作業は非常に簡単に行なうことが出来、しかもヒューズ端子に確実に取付け出来る。又ヒューズ端子から確実に取外し出来る。
【図面の簡単な説明】
【図１】本発明に係るソケットの実施例。
【図２】両挟持板を開いて筒形ヒューズを掴む場合。
【図３】ソケットにて筒形ヒューズを挟持した場合の斜視図。
【図４】ソケットにて筒形ヒューズを挟持した場合の断面図。
【図５】ソケットを用いて筒形ヒューズをヒューズ端子に取付けた場合。
【符号の説明】
１　挟持板
２　基板
３　スライド棒
４　コイルバネ
５　テーパー部材
６　窓穴
７　テーパー面
８　押圧部
９　挟持部
１０　筒形ヒューズ
１１　継手
１２　角
１３　隙間
１４　ヒューズ端子
１５　保持部
【図１】
2004087155.tif 000003
【図２】
2004087155.tif 000004
【図３】
2004087155.tif 000005
【図４】
2004087155.tif 000006
【図５】
2004087155.tif 000007